(57)【要約】ウェブブラウザのブックマークに格納するカテゴリ名とこれに関連し、ユーザが設定する関連キーワードをカテゴリデータベースに格納する。また、ＵＲＬとそのＵＲＬのウェブページの内容テキストとユーザが与える関連キーワードとをＵＲＬ情報データに格納する。ユーザがブックマークをたどる操作をすると、カテゴリデータベースのカテゴリ名からカテゴリが選択される。このカテゴリに対応する関連キーワードを使って、ＵＲＬ情報データベースの内容テキストあるいは関連キーワードあるいはその両方を検索し、ヒットしたものに対応するＵＲＬをユーザに提示する。
2005008527.tif 000002
【特許請求の範囲】
【請求項１】
ウェブページの所在位置情報を該ウェブページのテキスト内容及び該ウェブページの内容に関連するキーワードと共に格納する第１の記録手段と、
ウェブページの整理に使用する、ブックマークのカテゴリの名前を該カテゴリに関連するキーワードと共に格納する第２の記録手段と、
ユーザが該カテゴリを指定した際に、該カテゴリに関連するキーワードを用いて、該テキスト内容、該ウェブページの内容に関連するキーワード、あるいはその両方を検索することにより、検索の結果得られたウェブページを該カテゴリに属するウェブページとする検索／カテゴライズ手段と、
を備えることを特徴とするブックマーク管理装置。
【請求項２】
前記検索／カテゴライズ手段は、検索を、前記テキスト内容について行うか、前記ウェブページの内容に関連するキーワードについて行うか、あるいは、その両方について行うかを切り替える切り替え手段を更に備えることを特徴とする請求項１に記載のブックマーク管理装置。
【請求項３】
前記ブックマーク管理装置に登録されている前記ウェブページにアクセスした際に、該ウェブページのテキスト内容がすでに保存されているテキスト内容と異なる場合には、新たなテキスト内容ですでに保存されているテキスト内容を更新することを特徴とする請求項１に記載のブックマーク管理装置。
【請求項４】
前記テキスト内容を保存する際に、保存時の日時等のテキスト内容の新しさを示す情報を合わせて保存し、前記ブックマーク管理装置に登録されている前記ウェブページにアクセスした際に、該ウェブページのテキスト内容がすでに保存されているテキスト内容と異なる場合には、新たなテキスト内容ですでに保存されているテキスト内容を更新し、テキスト内容の新しさを示す情報も合わせて更新することを特徴とする請求項１に記載のブックマーク管理装置。
【請求項５】
ウェブページの所在位置情報を該ウェブページのテキスト内容及び該ウェブページの内容に関連するキーワードと共に格納する第１の記録ステップと、
ウェブページの整理に使用する、ブックマークのカテゴリの名前を該カテゴリに関連するキーワードと共に格納する第２の記録ステップと、
ユーザが該カテゴリを指定した際に、該カテゴリに関連するキーワードを用いて、該テキスト内容、該ウェブページの内容に関連するキーワード、あるいはその両方を検索することにより、検索の結果得られたウェブページを該カテゴリに属するウェブページとする検索／カテゴライズステップと、
を備えることを特徴とするブックマーク管理方法。
【請求項６】
前記検索／カテゴライズステップにおいては、検索を、前記テキスト内容について行うか、前記ウェブページの内容に関連するキーワードについて行うか、あるいは、その両方について行うかを切り替える切り替えステップを更に備えることを特徴とする請求項５に記載のブックマーク管理方法。
【請求項７】
登録されている前記ウェブページにアクセスした際に、該ウェブページのテキスト内容がすでに保存されているテキスト内容と異なる場合には、新たなテキスト内容ですでに保存されているテキスト内容を更新することを特徴とする請求項５に記載のブックマーク管理方法。
【請求項８】
前記テキスト内容を保存する際に、保存時の日時等のテキスト内容の新しさを示す情報を合わせて保存し、前記ブックマーク管理装置に登録されている前記ウェブページにアクセスした際に、該ウェブページのテキスト内容がすでに保存されているテキスト内容と異なる場合には、新たなテキスト内容ですでに保存されているテキスト内容を更新し、テキスト内容の新しさを示す情報も合わせて更新することを特徴とする請求項５に記載のブックマーク管理方法。
【請求項９】
ウェブページの所在位置情報を該ウェブページのテキスト内容及び該ウェブページの内容に関連するキーワードと共に格納する第１の記録ステップと、
ウェブページの整理に使用する、ブックマークのカテゴリの名前を該カテゴリに関連するキーワードと共に格納する第２の記録ステップと、
ユーザが該カテゴリを指定した際に、該カテゴリに関連するキーワードを用いて、該テキスト内容、該ウェブページの内容に関連するキーワード、あるいはその両方を検索することにより、検索の結果得られたウェブページを該カテゴリに属するウェブページとする検索／カテゴライズステップと、
を備えることを特徴とするブックマーク管理方法を情報処理装置に実現させるプログラム。
【発明の詳細な説明】
【技術分野】  本発明は、ウェブページのＵＲＬ（Ｕｎｉｆｏｒｍ  Ｒｅｓｏｕｒｃｅ  Ｌｏｃａｔｏｒ）情報を保存しておくブックマークにおいて、適切にＵＲＬ情報をカテゴライズするためのＵＲＬ情報保存装置及びその方法に関する。
【背景技術】  近年、インターネットやイントラネットにおけるウェブページは増加の一途をたどっており、今後のブロードバンド時代に向けて、さらにウェブページは増えるものと想定される。ウェブページ増加に伴い、ブックマークしておきたいウェブページも増えている。
現状のブックマークは、ウェブページの位置を表すＵＲＬを保存するが、ＵＲＬが増えても見つけやすいようにユーザがカテゴリを作成し、ＵＲＬページを適切なカテゴリに含めることができる。
従来のブックマークは、利用者がカテゴリを作成し、ウェブページをブックマークするときに、どのカテゴリに格納するか決めていた。格納時にどのカテゴリに含めるのか判断に迷うケースがあったり、ウェブページを参照したいときに、どのカテゴリに含めたのか忘れることがあった。また、カテゴリに含めておかないと、後々ブックマークが整理されていないことでブックマーク自体を利用しにくくなる。
また、ウェブページをカテゴリに含める時に、複数カテゴリに含めたい場合には、そのＵＲＬ情報をコピーするなどして含めたいカテゴリの数だけブックマークに登録する作業が発生していた。
また、ブックマークしたウェブページの内容が変更となり、それを含むカテゴリと合わなくなった場合には、再度カテゴライズを行う必要があった。
上記課題を解決する方法として、特許文献１や特許文献２では、ＵＲＬをブックマークに追加するときに、カテゴリに関連付けられたキーワードとページ内容のマッチング処理を行う、あるいは、検索した時のキーワードを利用することで適切なカテゴリ配下にＵＲＬを登録する方法を示している。ただし、この方法では、以下の課題が解決できない。
・カテゴリの構成やカテゴリに関連付けられたキーワードを変更すると、カテゴリに属するＵＲＬが変更後の状態を反映していないものとなる。
・ブックマークしたＵＲＬのページ内容が変更になると、カテゴリと実際のページの対応が適していないものとなる。
【特許文献１】特開平１１−１６７５８０号公報
【特許文献２】特開２０００−２０５３６号公報
【発明の開示】
本発明の課題は、多数のブックマークを適切に管理することのできる装置を提供することである。
本発明のブックマーク管理装置は、ウェブページの所在位置情報を該ウェブページのテキスト内容及び該ウェブページの内容に関連するキーワードと共に格納する第１の記録手段と、ウェブページの整理に使用する、ブックマークのカテゴリの名前を該カテゴリに関連するキーワードと共に格納する第２の記録手段と、ユーザが該カテゴリを指定した際に、該カテゴリに関連するキーワードを用いて、該テキスト内容、該ウェブページの内容に関連するキーワード、あるいはその両方を検索することにより、検索の結果得られたウェブページを該カテゴリに属するウェブページとする検索／カテゴライズ手段とを備えることを特徴とする。
本発明によれば、ブックマークのカテゴリとウェブページの所在位置情報（例えば、ＵＲＬ）との関連を、キーワードを用いて動的に関連付けるので、ユーザが多くの所在位置情報を手動で整理する必要がない。また、カテゴリのキーワードと照合を行う相手として、ウェブページに関してユーザが与えたキーワード、ウェブページのテキスト内容、あるいは、その両方を使用することで、ユーザの意図、ウェブページの作者の意図、あるいは、両方を盛り込んだウェブページのカテゴライズを行うことができる。特に、ウェブページが更新された場合、格納するテキスト内容を更新することで、最新の情報に基づいて、ウェブページを適切にカテゴライズすることができる。
【図面の簡単な説明】  図１は、本発明の実施形態の基本構成を示す図である。
図２は、本発明の実施形態を実現するプログラムの構成を説明する図である。
図３は、カテゴライズされたブックマークが表示された画面の様子を示す図である。
図４は、本発明の実施形態に従ったデータ構造の例を示す図である。
図５は、本発明の実施形態に従ったブックマークの選択から、ＵＲＬのウェブページが表示されるまでの処理の流れを示すフローチャートである。
図６は、本発明の実施形態に従った、ウェブページの内容が更新されていた場合の処理の流れを示すフローチャートである。
図７及び図８は、ウェブページの内容が変更されていた場合のブックマークの表示例を示す図である。
図９は、ウェブページのテキスト内容の変更の履歴を格納するＵＲＬ情報データベースの例を示した図である。
【発明を実施するための最良の形態】  本発明では、ウェブページをブックマークするときに、カテゴライズする作業を不要とし、また、ブックマークの整理が不要となるようなブックマーク管理方法を提供する。
また、複数カテゴリにＵＲＬ情報を含めたいときにも、そのＵＲＬ情報をコピーする必要なく、利用者がカテゴリ構成を変更しても、ブックマークした先のウェブページの内容が変更となった場合にも、再カテゴライズ不要となる方法を提供する。
具体的には、ブックマークの管理において、カテゴリ情報とＵＲＬ情報を別々に、相互の関連をもたない状態で管理する。ただしＵＲＬ情報は、ＵＲＬだけでなく該当ページのテキスト内容、利用者が与える追加キーワードも合わせて保存しておく。実際にブックマーク参照するためにカテゴリツリーをたどる操作をした時に、保存しておいたウェブページの内容をカテゴリに関連付けられたキーワードで検索し、一致する文字列を含む追加キーワードあるいはテキスト内容に対応するＵＲＬを該当カテゴリに関連付けられたＵＲＬとして動的に関連付けし、そのＵＲＬを表示する。
また、本発明の実施形態のある態様では、利用者が追加したキーワードに対してのみ検索、あるいは、ウェブページのテキスト内容のみを検索することで、ブックマーク利用者の意図を反映したカテゴライズとウェブページ作成者の意図を反映したカテゴライズを切り替えて表示することを可能とする手段を備える。すなわち、利用者が追加したキーワードには、対応付けられたＵＲＬのウェブページに対して利用者が意図した使い方が暗黙の内に反映される。したがって、追加キーワードを使って検索することは、利用者の意図が反映されたカテゴライズを行うことになる。一方、ウェブページのテキスト内容には、当該ウェブページの作成者の意図が暗黙の内に反映される。したがって、ウェブページのテキスト内容について検索することは、ウェブページの作成者の意図が反映されたカテゴライズを行うことになる。
また、本発明の実施形態の別の態様では、該当ウェブページ参照時にテキスト内容を最新状態に更新することで、最新のウェブページ内容に応じたカテゴライズを可能とし、更には、ウェブページ内容の時間的な遷移に応じたカテゴライズを可能とする手段を備える。
図１は、本発明の実施形態の基本構成を示す図である。
図１において、ブックマークを操作するユーザがカテゴリを選択して、そのカテゴリに属するＵＲＬを参照しようとするとき（１）、該当カテゴリ名あるいはカテゴリに関連付けられたキーワードを使用して（２）、ＵＲＬ情報に格納されたウェブページのテキスト内容あるいは関連付けられたキーワードを検索し（３）、そのキーワードにマッチしたＵＲＬを該当カテゴリに関連付けられたＵＲＬとしてユーザに示す（４）。このようにカテゴリに属するＵＲＬを動的に生成することでブックマークの整理の必要性をなくしている。
図２は、本発明の実施形態を実現するプログラムの構成を説明する図である。
本発明の実施形態においては、インターネット１１に接続されたＰＣ１０にブラウザ１２が組み込まれている構成を考える。これに、本発明の実施形態に従ったプログラム１３を設ける。ユーザがブラウザを使用してカテゴリを選択すると、カテゴリ管理部（Ａ）がカテゴリデータベース１４から該当カテゴリに対応するキーワードを取得し、そのキーワードをＵＲＬ情報検索部（Ｂ）に渡す。ＵＲＬ情報検索部（Ｂ）では、ＵＲＬ情報データベース１５の内容テキストあるいは関連キーワードに、入手したキーワードに一致するものがあるかどうかを全てのＵＲＬ情報について調べ、一致したものについてそのＵＲＬを画面に表示することで、ユーザが選択したカテゴリとそのＵＲＬの関連付けを行い、ユーザはそのカテゴリに属するＵＲＬの集合を参照するすることができる。
つまり、ＵＲＬ情報としてＵＲＬだけでなく、ＵＲＬ先ウェブページのテキスト内容まで保存して、ＵＲＬ検索のための情報として利用する。
本発明の実施形態のある態様では、ＵＲＬ情報検索するときにテキスト内容のみを検索することで、ウェブページ作成者の意図した内容を反映したカテゴライズとし、キーワードのみを検索することで、ブックマーク利用者の意図した内容を反映したカテゴライズとするものである。また、その両方を検索対象とすることも可能とする。
本発明の実施形態の別の態様では、ブックマークに保存されたＵＲＬのウェブページを参照したときに、ＵＲＬ情報に格納してあるウェブページのテキスト内容を最新のものと入れ替えることで、カテゴリにＵＲＬを関連付けるときに最新の情報を利用できるようにする。
本発明の実施形態の更に別の態様では、ブックマークに保存されたＵＲＬのウェブページを参照したときに、その内容に違いがあった場合、格納してあるウェブページのテキスト内容を最新のものと入れ替えるのではなく、バージョン管理を行い、どちらも保存しておくことで、カテゴリにＵＲＬを関連付けるときに、内容の変化により関連付けがなくなるのを防止するものである。
図３は、カテゴライズされたブックマークが表示された画面の様子を示す図である。
ブックマークとして、同図右のメニューが表示される。このメニューには、野球、ゴルフ、音楽などのフォルダが設けられている。ここで、野球のフォルダを選択したとすると、次に、野球のフォルダの下位のフォルダが開かれる。下位のフォルダには、巨人、メジャーリーグ、試合速報というフォルダが設けられている。更に、この中からメジャーリーグのフォルダを選択すると、野球とメジャーリーグに関連付けられたキーワードでＵＲＬ情報から検索した結果が表示される。ここでは、ＭＬＢ  Ｓｃｏｒｅ、マリナーズＦａｎ、ルールの違いなどのページのページタイトルが表示される。
図４は、本発明の実施形態に従ったデータ構造の例を示す図である。
カテゴリ情報としては、カテゴリ名と関連キーワードが関連付けられて登録される。最も上位のカテゴリにおいては、野球、ゴルフ、音楽等があり、野球には、野球、ｂａｓｅｂａｌｌが関連キーワードとして登録されている。また、ゴルフには、ゴルフ、ｇｏｌｆ、スコアが、音楽には、音楽、ｍｕｓｉｃ、ロックが登録される。野球のカテゴリの下位のカテゴリには、巨人、メジャーリーグ、試合速報等がカテゴリ名として格納される。巨人のカテゴリ名には、巨人、読売、松井が関連キーワードとして、メジャーリーグのカテゴリ名には、メジャーリーグ、ＭＬＢが、試合速報には、試合速報、今日の結果がそれぞれ関連キーワードとして格納される。
また、ＵＲＬ情報においては、各ＵＲＬと、関連キーワードと保存ファイルが対応付けられて格納される。関連キーワードは、ユーザが任意に設定するものであり、ＵＲＬの中には、関連キーワードを持たないものもある。保存ファイルは、全てのＵＲＬに対応付けられて格納されるものであり、内容は、当該ＵＲＬで示されるウェブページの内容テキストである。
図５は、本発明の実施形態に従ったブックマークの選択から、ＵＲＬのウェブページが表示されるまでの処理の流れを示すフローチャートである。
ステップＳ１０において、ユーザがブックマークのカテゴリを選択する。ステップＳ１１において、該当カテゴリに、サブカテゴリが定義されているか否かを判断する。ステップＳ１１の判断がＹｅｓの場合には、サブカテゴリを表示して（ステップＳ１２）、ステップＳ１０に戻る。ステップＳ１１の判断がＮＯの場合には、ステップＳ１３において、選択されたカテゴリと、その上位のカテゴリに関連付けられたキーワードを取得する。ステップＳ１４においては、ＵＲＬ情報の関連キーワード、ＵＲＬのページを保存したファイルから、ページを探し、そのページのＵＲＬのリストを取得する。ページを探すにあたっては、上位カテゴリのキーワードのいずれかを含み、かつ、カテゴリのキーワードのいずれかを含むページをテキスト検索、あるいは、関連キーワード検索、あるいは、その両方によって行う。
ステップＳ１５においては、ステップＳ１４において取得したＵＲＬのリストを、ユーザが選択したカテゴリに含まれるＵＲＬとして表示する。ステップＳ１６においては、ユーザがＵＲＬの１つを選択したら、該当ＵＲＬのページをブラウザに表示して、処理を終了する。
図６は、本発明の実施形態に従った、ウェブページの内容が更新されていた場合の処理の流れを示すフローチャートである。
ステップＳ２０において、ユーザがカテゴリを選択する。ステップＳ２１において、選択されたカテゴリと、そのカテゴリに関連付けられたキーワードを取得する。ステップＳ２２において、ＵＲＬ情報の関連キーワードと保存したテキスト内容から、ステップＳ２１において取得したキーワードで検索し、マッチするページのＵＲＬリストを取得する。ステップＳ２３においては、ステップＳ２２において取得したＵＲＬリストを、ユーザが選択したカテゴリに含まれるＵＲＬとして表示する。ステップＳ２４においては、ユーザが、ステップＳ２３において表示されたＵＲＬとページタイトルのリストの中から１つを選択し、該当ＵＲＬのウェブページを取得して、ブラウザに表示する。ステップＳ２５においては、ステップＳ２４で取得したウェブページのテキスト内容と参照したＵＲＬ情報内に保存したテキスト内容を比較し、変更されていた場合には、テキストを更新して処理を終了する。
図７及び図８は、ウェブページの内容が変更されていた場合のブックマークの表示例を示す図である。
図７及び図８においては、４月からプロ野球速報をしていたページでＪリーグの試合速報も提供するようになった場合を示している。
図７は、３月時点でのブックマークであり、スポーツのカテゴリの下の野球のサブカテゴリには、巨人ｆａｎ、試合速報、ＭＬＢサイトのページのタイトルが表示され、Ｊリーグのサブカテゴリには、Ｊリーグ公式サイト、ジュビロＦａｎのページタイトルが表示される。
その後、４月になって、野球、Ｊリーグのカテゴリを選択した場合、テキスト内容が更新され、該当ページにＪリーグの情報が追加されるようになったため、Ｊリーグのサブカテゴリのキーワードで検索した結果、試合速報サイトがマッチするようになり、Ｊリーグのカテゴリの下にも試合速報のページタイトルが表示されるようになる。
図８は、その様子を示したものであり、図７と比べて、Ｊリーグのサブカテゴリに含まれるページタイトルに試合速報が追加される。試合速報のＵＲＬは、野球の試合速報のＵＲＬと同じものとなる。
図９は、ウェブページのテキスト内容の変更の履歴を格納するＵＲＬ情報データベースの例を示した図である。
同図においては、図４のＵＲＬ情報に、新たに履歴情報が追加されており、これは同一ＵＲＬであるが、テキスト内容が異なる場合に、保存日を履歴情報として設定し、新たなテキスト内容と対応させて追加保存している。古いテキスト内容を保存しておくことで、テキスト内容の変化のために、カテゴリ選択時に表示されるＵＲＬが減ることを防ぐことができる。
【産業上の利用可能性】  以上に説明したように、本発明によりブックマークのカテゴリ分類と各カテゴリに属するＵＲＬを、動的に関連付けることで、以下の効果をもたらすものである。
・ＵＲＬをブックマークに保存するときに、カテゴライズを行う必要がなくなる。
・カテゴリに属するＵＲＬを整理する必要がなくなる。
・ＵＲＬを複数のカテゴリに含めるため、ＵＲＬを複数回ブックマークに保存する必要がなくなる。
・ウェブページ参照時にテキスト内容を最新にすることで、ウェブページの内容に変換があり、カテゴリ分類が適切でなくなっても再カテゴライズする必要がなくなる。
・カテゴリの追加や削除を行っても、再カテゴライズをする必要がなくなる。
また、カテゴリ分類は個人の興味に応じた分類であるため、他人と共用するケースは少ないと考えられるが、ＵＲＬ情報は有益なページに関する情報であるため、複数人で共用するケースが想定される。例えば、共同で作業を行うにあたり、作業に役立つページは共同作業者同士で共用したいと考えられる。この場合にも、カテゴリをたどるときに動的にＵＲＬを関連付けるため、ＵＲＬ情報のみを共用し、カテゴリ情報のみ個人が管理することが可能となる（これは専門家によるリンクページを、自分のブックマークに動的に取り込んだ物と見ることもできる）。
【図１】
2005008527.tif 000003
【図２】
2005008527.tif 000004
【図３】
2005008527.tif 000005
【図４】
2005008527.tif 000006
【図５】
2005008527.tif 000007
【図６】
2005008527.tif 000008
【図７】
2005008527.tif 000009
【図８】
2005008527.tif 000010
【図９】
2005008527.tif 000011
【国際調査報告】
2005008527.tif 000012
2005008527.tif 000013
2005008527.tif 000014
2005008527.tif 000015